(57)【要約】      （修正有）【課題】直接貼り場所に貼り付け、切りたいと思った場所で切る事ができ、指紋が付かず必要な長さが切れるテープカッターを提供する。【解決手段】上の刃でカットしたテープを振り子部品の振子を下に下げ、下の刃の位置に移動させるとテープ切り口先端が中空に浮いた形になるように、接着しない面から切るようにした。更に、連続的、機械的に取り口が作成出来るよう後方下から、紙テープの配布が出来るようにした。【選択図】図７
2006182559.tif 000002
【特許請求の範囲】
【請求項１】
［図１］［図２］の本体の素材は、紙、プラスチック等の樹脂で出来ています。その材質を特許請求します。
【請求項２】
テープカッターが、順切り、逆切り（ここで言う順切りは、テープの接着面側から切り、逆切りはテープの非接着面側から切る事）の両方が１つのカッターで出来る事を特許請求します。
【請求項３】
テープカッターの刃は９０度に向かい合っていて、上側が逆切りで下側が順切りようになっている、その構成を特許請求します。
【請求項４】
［図３］の振り子部品が振り子動作する事を特許請求します。
【請求項５】
［図３］の振り子部品がテープカット時テープに張り付いてテープを保持する事を特許請求します。
【請求項６】
［図３］の振り子部品がテープカット時テープに張り付いてテープを保持する時、振り子部品は、カット長より短くなっているので、振り子部品を元に振り戻したとき次の貼り付けがし易いようにテープの先端が振り子部品より前に出て戻って来るようなっています。  振り子部品のテープ先端出し機能を特許請求します。
【請求項７】
［図７］の組み立て図にあるように、テープ取り口作成用テープ一体型のテープカッターである事を特許請求します。
【請求項８】
テープ取り口作成用テープの保持方法が、［図５］にあるバンド形式の固定方法である事を特許請求します。
【請求項９】
テープ取り口作成用テープのテープ先端は、［図６］にあるバンド形式の固定方法に保持された紙、その他素材製の板間を通す事により保持されています。その固定方法を特許請求します。
【請求項１０】
［図１３］の組み立て図にあるように、テープエンドの取り口作成用にテープカッター上前にカッターを設置しました。その構成を特許請求します。
【発明の詳細な説明】
【技術分野】
【０００１】本発明は、主にセロテープに使用するカッターをより便利にしたものです。［背景技術］整理番号００２で申請したテープカッターをパッケージ型にし、更に機能を追加しました。［発明の開示］［発明が解決しようとする課題］【０００２】問題点１  従来、あるいは大多数のテープカッターは接着面を下にし、接着面をカッターにあてて切るタイプです。接着面に指をあてるので指紋が付きますし直接貼る場所の必要な長さを、いまひとつ掴めにくい構造でした。（例えば封筒の封をする場合等）従来品は、重い土台にしっかりとセットされていますので、切る位置にカッター部の方をあてがって長さを出すのは難しいですし、軽く作ってあったとしても、その方式では指紋がつきます。  テープを直接貼ることが出来ないのと、指紋が付くこと、その対策方法としての逆からのカットも難しい。それがまず問題でした。問題点２  テープを貼る時、テープの取り口が必要な時がありますが、明確な形でのテープの取り口の作成方法がありませんでした。その為テープの取り口を作成するには、時間がかかったり、うまく作れなかったりしました。問題点３  従来型は、接着面に指をあてるので、連続的に使用すると接着材が付着するような感じがあり不快感がありましたし、非効率な構造でした。［課題を解決するための手段］【０００３】問題点１について  従来の切り方を順切りと表現した場合、その逆の切り方、逆切りが有効と考えました。即ち接着しない面から切る方法です。  封筒の封の仕方で説明すると、まずテープの端を封筒の片側の端に貼り付け、スライドしながらもう一方の封筒の端に向かってテープを貼り付けし、端にたどり着いたところで、上から、即ち非接着面からカットします。この場合は、目標の所にカッターの刃をテープにあてることが出来ます。（順切りの場合には少し難しいと思われます。）  そして、尚且つ、カットした後、切った所がテープ本体に戻って張り付かないようにする事です。そうすれば、次の貼りも楽です。  （図８参照下さい）問題点２について上の刃でカットしたテープを振り子部品の振子を下に下げ、下の刃の位置に移動させるとテープ切り口先端が中空に浮いた形になるので、テープ先端の取り口作成が楽に出来ます。更に、連続的、機械的に取り口が作成出来るよう後方下から、紙テープの配布が出来るようにしました。  （図９参照下さい）問題点３について接着面が下を向いているので直接対象物に貼れ、又、テープの接着代が最大５センチ出ていて貼りやすいので、効率的に連続貼りが出来ます。［発明を実施する為の最良の形態］【０００４】図４の本体のＡは図１のａで、開閉可能で、テープの出し入れが出来ます。図４のＢは図１のｂ、図２のｂを折った状態で、テープの内径からテープを保持します。図４Ａには貼り付け面を下にしてテープをセットします。【０００５】図４Ｃ１に順切り用のカッターをセットし、Ｃ２に逆切り用のカッターをセットします。ここでは、テープ粘着面にカッターを当てるのを順切りとします。（従来のテープカッターのタイプです。）【０００６】図４Ｄに振り子のように動作する振り子部品をセットします。【０００７】図７は図４に図５の紙テープ保持バンドと図６の紙テープ受けバンドをセットしたものです。【０００８】図１３は図７に，図１２に図１１をセットした、上前カッターをセットしたものです。［発明の効果］従来あるいは大多数のテープカッターは接着面を下にし、接着面をカッターにあてて切るタイプでした。接着面に直接指をあてるので指紋が付きますし、直接張る場所の必要な長さを、いまひとつ掴めにくい構造でした。（例えば封筒の封をする場合等）提案品は非接着面を上からカッターで切ります。ある場所にテープを貼ろうと思った場合、従来品の多くは、まずテープをカットして、一旦手にしてから貼り場所に貼っていましたが、これは、直接貼り場所に貼り付けます。そして、切りたいと思った場所で切る事ができます。指紋が付かず必要な長さが切れます。連続切りが出来ます。数箇所貼る場合、複数切っておく必要はありません。例えば目の高さの場所の物に貼ろうとした場合、カットすると、カットしたテープ（本体側）は、非接着面からのカットでも、多くの場合は刃にテープが付いていますので、次に接着したいと思った時は、非接着面に指を当てればすぐに、次の接着体制にはいれます。封筒接着が容易。  封筒等の接着の場合は、机の上に置いた封筒に上から張っていき、切ろうとする所で本体を垂直にする構造になっています。切る時にテープの接着面と振り子が接着しますが、本体を平行に戻し、テープに接着した振り子をテープ毎下に戻すと、次の接着がし易い形でテープの先端が出てきます。従来と同様の切り方もできます。逆切り用の他、従来と同様な切り方もできる、両切り用になっています。テープ取り口の作成が容易、可能テープはカット時、テープ受けよりもテープ先端が２センチほど先に出るようになっているのでテープ取り口作成が簡単、更に、誰でもテープ取り口が規則的に出来るようにしました。紙テープ等使用により、色のあるテープ取り口も作成可能です。
【図面の簡単な説明】
【図１】カッター本体Ａ面
【図２】カッター本体Ｂ面
【図３】振子部品
【図４】テープカッター組立て図
【図５】紙テープ保持バンド
【図６】テープ受けバンド
【図７】テープカッター組立て図オプション付
【図８】テープカット実行図
【図９】取り口作成図（紙テープ使用時）
【図１０】カッター刃
【図１１】上前カッターオプション
【図１２】上前カッター用バンド
【図１３】テープカッター組立て図オプション２付
【符号の説明】
図１は本体の片側展開図です。図２は本体の反対側展開図です。図４は  図１、図２、図３の組みあがりです。  Ｅ．Ｆ．Ｇは接着あるいはホッチキスで止めます。  Ｂは図１のｂと図２のｂを折って作成します。図２のｂの真ん中凹面に図１真ん中の凸面を組入れて固定します。図４のＤ２は  図３の振り子部品です。  上下に動きます。図７のＨは  図５の紙テープ保持バンドです。十分に紙テープを固定します。図７のＩは、図６のテープ受けです。図６のＩは薄紙を重ねて接着したものです。  ここの薄い空洞部分に紙テープを通し紙テープを保持します。図８は、封筒等に貼り付けしてカットする場合の、カットの仕方の図解です。図９は、紙テープ使用時のスタート部の取り口作成の図解です。図１１は、図１２の内側にホッチキスで止めます。図１３は、図１２のオプションもセットした場合の組み立て図です。
【図１】
2006182559.tif 000003
【図２】
2006182559.tif 000004
【図３】
2006182559.tif 000005
【図４】
2006182559.tif 000006
【図５】
2006182559.tif 000007
【図６】
2006182559.tif 000008
【図７】
2006182559.tif 000009
【図８】
2006182559.tif 000010
【図９】
2006182559.tif 000011
【図１０】
2006182559.tif 000012
【図１１】
2006182559.tif 000013
【図１２】
2006182559.tif 000014
【図１３】
2006182559.tif 000015